(57)【要約】【課題】  優先度レベルの高いコールに対するチャネルの設定が確実に得られるようにした無線基地局装置のチャネル割当優先制御方法を提供すること。【解決手段】  上位装置ＲＮＣとインターフェースを持つ呼処理制御部１０１と、子局との無線周波数帯域による送受信を処理する無線送受信機能部１０４、ベースバンド信号を処理する無線信号制御部１０５、それにネットワーク側と回線インターフェースを取る有線制御部１０６を備えた無線基地局装置ＢＴＳに、制御メッセージを記憶しておくメッセージリスト１０２と個別チャネルの情報を保持優先度レベルの昇順に従って記憶しておく保持優先度リスト１０３とを設け、これらを参照することにより、チャネルの設定順位に優先度レベルが常に正しく反映されるようにしたもの。【選択図】図１
2008271108.tif 000002
【特許請求の範囲】
【請求項１】
上位装置から通知される無線リンクセットアップ要求メッセージを受けたとき、当該メッセージに含まれているチャネル割当優先度レベルに応じて順次個別チャネルを設定する方式の無線基地局装置において、
前記無線リンクセットアップ要求メッセージを受けたとき、それを記憶するメッセージリスト記憶手段と、
前記個別チャネルの設定が正常に終了されたとき、保持優先レベルの昇順で前記個別チャネルの情報を格納する保持優先度リスト記憶手段とを設け、
チャネル設定に際して前記メッセージリスト記憶手段と前記保持優先度リスト記憶手段に記憶されている制御メッセージと保持優先度メッセージを用い、チャネルの設定順位に優先度レベルが常に正しく反映されるように処理することを特徴とする無線基地局装置のチャネル割当優先制御方法。
【発明の詳細な説明】
【技術分野】
【０００１】
本発明は、チャネルの割り当てに優先度が与えられるようにした無線基地局装置のチャネル割当優先制御方法に係り、特に優先度レベルが高いチャネルの設定に必要な無線リソースの確保を、他のチャネルを指定して削除することにより得るようにした無線基地局装置のチャネル割当優先制御方法に関する。
【背景技術】
【０００２】
例えば携帯電話の無線基地局装置では、限られた無線リソースのもとで、効率よく多数の子局による接続要求に対応しなければならず、しかも、このとき特定のサービスとして優先接続サービスにも対応しなければならないが、ここで、このような優先接続サービスを実現するため、予め加入者毎に優先度レベル(チャネル割当優先度レベル)を設定しておき、優先度レベルが高いチャネルの設定に必要な無線リソースの確保を、優先度レベルが低い他のチャネルを指定して強制呼切断(Deletion)し、解放することにより得るという、ここではＲＬＰＰと呼ぶ処理手順がある。なお、このときのＲＬＰＰとは、ラジオ・リンク・プリエンプション・プロセデュア(RLPP：Radio Link Pre-emption Procedure)の略称である
ところで、このＲＬＰＰ処理手順では、削減対象となるチャネルを指定してプリエンプション要求指示(PREEMPTION REQUIRED INDICATION)を上位装置(RNC：Radio Network control)に送信し、リンク削除要求(RADIO LINK DELETION REQUEST)を待ち、削除対象のチャネルが削除され、必要な無線リソースが確保された時点で当該優先度レベルが高いコールにチャネルの設定がなされるようにしている。
【０００３】
従って、この場合の無線基地局装置としては、上位装置から通知されるＲＬＳ要求(無線リンクセットアップ要求：RADIO LINK SETUP REQUEST)メッセージを受けたとき、当該メッセージに含まれているチャネル割当優先度レベルに応じて順次、個別にチャネルを設定する方式の無線基地局装置として機能することになる。なお、このような無線リソースの確保に関連する従来技術としては、例えば特許文献１及び特許文献２の開示を挙げることができる。
【特許文献１】特開２００３−２０９８７１号公報
【特許文献２】特開２００３−３２７５３号公報
【発明の開示】
【発明が解決しようとする課題】
【０００４】
従来技術は、削除対象チャネルの解放待ち状態にあるとき、削除対象にはなっていない別のチャネルが解放され、新たなチャネルの設定に必要な無線リソースの確保が得られるようになった場合でも、このとき待ち状態にある優先度レベルの高いコールにチャネルを設定することなく、そのまま当初の削除対象チャネルか解放されるのを待ってしまうので、優先度レベルの高いコールに対するチャネル設定が遅れてしまう虞がある。
【０００５】
また、従来技術は、削除対象になったチャネルが複数あり、それらのチャネルの解放待ち状態にあるとき、複数の削除対象チャネルの中のいくつかのチャネルが解放されが、しかし、このとき待ち状態にある優先度レベルの高いコールにチャネルを設定するのに必要な無線リソースの確保には、未だ不充分な状態にあるとき、ここで優先度レベルが低い他のコールについてのチャネル設定要求がなされた場合、この優先度レベルが低い他のコールにチャネルを設定してしまうので、優先度レベルによる優位性維持が得られなくなってしまう虞がある。
【０００６】
ここで、本発明は、上記した従来技術における問題点、すなわち、優先度レベルの高いコールに対するチャネル設定が充分に得られないという問題点に鑑みてなされたもので、その目的は、優先度レベルの高いコールに対するチャネルの設定が確実に得られるようにした無線基地局装置のチャネル割当優先制御方法を提供することにある。
【０００７】
このとき、本発明では、上位装置から通知される無線リンクセットアップ要求メッセージのための待合せ制御を用いた点を特徴とする。
【課題を解決するための手段】
【０００８】
上記目的は、上位装置から通知される無線リンクセットアップ要求メッセージを受けたとき、当該メッセージに含まれているチャネル割当優先度レベルに応じて順次個別チャネルを設定する方式の無線基地局装置において、前記無線リンクセットアップ要求メッセージを受けたとき、それを記憶するメッセージリスト記憶手段と、前記個別チャネルの設定が正常に終了されたとき、保持優先レベルの昇順で前記個別チャネルの情報を格納する保持優先度リスト記憶手段とを設け、チャネル設定に際して前記メッセージリスト記憶手段と前記保持優先度リスト記憶手段にきおくされている制御メッセージと保持優先度メッセージを用い、チャネルの設定順位に優先度レベルが常に正しく反映されるように処理するようにして達成される。
【発明の効果】
【０００９】
本発明によれば、削除対象チャネルの解放待ち状態で、削除対象にはなっていない別のチャネルが解放され、新たなチャネルの設定に必要な無線リソースの確保が得られるようになった場合には、優先度レベルの高いコールに必ずチャネルが設定されるので、優先度レベルの高いコールに対するチャネル設定に遅れの虞がない。
【００１０】
また、本発明によれば、削除対象チャネルか複数あり、優先度レベルが低い他のコールについてのチャネル設定要求がなされた場合でも、常に優先度レベルが高いコールのチャネル設定が優先されるようになるので、優先度レベルによる優位性が揺らぐ虞がない。
【発明を実施するための最良の形態】
【００１１】
以下、本発明による無線基地局装置のチャネル割当優先制御方法について、図示の実施の形態により詳細に説明する。ここで、まず、図１は、本発明によるチャネル割当優先制御方法の一実施の形態が適用された無線基地局装置ＢＴＳを示したもので、これには、図示のように、上位装置ＲＮＣとのインターフェースを持つ呼処理制御部１０１と、制御メッセージを記憶しておくメッセージリスト１０２、個別チャネルの情報を保持優先度レベルの昇順に従って記憶しておく保持優先度リスト１０３、子局との無線周波数帯域による送受信を処理する無線送受信機能部１０４、ベースバンド信号を処理する無線信号制御部１０５、それにネットワーク側と回線インターフェースを取る有線制御部１０６が備えられている。
【００１２】
次に、この無線基地局装置ＢＴＳを用いたチャネル割当優先制御方法によるＲＬＰＰ処理の手順について、図２〜４図の開始シーケンスと、図５の制御メッセージ格納シーケンス、それに図６〜図８の終了シーケンスに分けて説明する。ここで、これらのシーケンスは、何れも呼処理制御部１０１の関与のもとで実行されるものである。
【００１３】
最初に、ＲＬＰＰ処理手順の開始シーケンスについて説明する。この場合、呼処理制御部１０１は、図２に示すように、上位装置ＲＮＣからＲＬＳ要求メッセージが入力されたことにより処理をスタートする(ステップＳ１)。そして、まず、入力されたＲＬＳ要求メッセージから新規チャネルの設定に必要な無線リソース数を算出する(ステップＳ２)。次に、必要な数の無線リソースが確保できるか否かを調べ(ステップＳ３)、結果がＹＥＳ、つまり無線リソースに空きがあった場合はステップＳ４以降の処理に進む(ケース１)。他方、結果がＮＯ、つまり無線リソースに空きがなかった場合は別の処理Ａに進む(ケース２)。
【００１４】
ステップＳ４では、無線信号制御部１０５にチャネル設定要求を送信し、この後、無線信号制御部１０５からチャネル設定応答が返送されるのを待つ(ステップＳ５)。そして、この後、ＲＬＳ要求メッセージにより指定された情報から保持優先度レベルを算出し、新規に設定したチャネル情報を保持優先度リスト１０３に格納してから(ステップＳ６)、ＲＬＳ応答(無線リンクセットアップ応答：RADIO LINK SETUP RESPONSE)メッセージを上位装置ＲＮＣに送信する(ステップＳ７)。従って、ここでケース１の場合の処理が終り、新たに発生したコールについてチャネル設定がなされ、それが上位装置ＲＮＣにより確認されることになる。
【００１５】
次に、図２のステップＳ３で別の処理Ａに分岐した場合(ケース２)の処理について、図３により説明する。このときの処理は、呼処理制御部１０１が新規チャネルの設定に必要な無線リソース数を算出した結果、必要な数の無線リソースが確保できなかった場合であり、このため、今度は、まず、ＲＬＳ要求メッセージで指定された情報から新規チャネルの優先度レベルを算出し、それをレベルＸとする(ステップＳ８)。次にＲＬＳ要求メッセージの有無を調べ、ＲＬＰＰサービス開始シーケンスの起動が指定されているか否を調べる(ステップＳ９)。
【００１６】
そして、まず、結果がＮＯ、つまりＲＬＰＰサービス開始シーケンスの起動が指定されていなかったときは、ステップＳ１０を実行して、ＲＬＳ失敗(無線リンクセットアップ失敗：RADIO LINK SETUP FAILURE)メッセージを上位装置ＲＮＣに送信し、ここでケース２の場合の処理を終了する。
【００１７】
しかして、ステップＳ９での結果がＹＥＳ、つまりＲＬＰＰサービス開始シーケンスの起動が指定されていた場合は、ステップＳ８で求めたレベルＸ、すなわち新規チャネルの優先度レベルを、保持優先度リスト(１０３)に格納されているチャネルの保持優先度レベルＹと比較し、Ｘ＞Ｙとなったチャネルから、新規チャネルを割り当てるのに必要なリソースが確保できるだけ抽出する(ステップＳ１１)。このときのチャネルの抽出の仕方については、例えばランダムに抽出してもよく、予め設定してある優先順位に従って抽出するようにしてもよい。
【００１８】
次いで、いま抽出したチャネルの全てを解放した場合、これで新規チャネルの設定に必要な無線リソースが確保できるのか否かを計算する(ステップＳ１２)。そして、まず、ステップＳ１２での結果がＮＯ、つまり、いま抽出したチャネルの全てを解放したとしても、新規チャネルの設定に必要な無線リソースが確保できなかった場合(ケース３)はステップＳ１０に進み、ＲＬＰＰサービス開始シーケンスの起動が指定されていなかったときと同じく、ＲＬＳ失敗メッセージを上位装置ＲＮＣに送信し、ここでケース３の場合の処理を終了する。
【００１９】
他方、結果がＹＥＳ、すなわち、いま抽出したチャネルの全てを解放してやれば新規チャネルの設定に必要な無線リソースが確保できるものとなった場合は(ケース４)、ここで別の処理Ｂに進む。そこで、次に、別の処理Ｂに分岐した場合の処理について、図４により説明する。この図４の処理では、まず、このときの開始シーケンスがスタートする契機となった上位装置ＲＮＣからのＲＬＳ要求メッセージを新たな制御メッセージとして、メッセージリスト１０２に格納されている他の制御メッセージの先頭に追加格納する(ステップＳ１３)、
この後、解放対象になったチャネルに対するＲＬＰＲ指示(無線リンクプリエンプション要求指示：RADIO LINK PREEMPTION REQUIRED INDICATION)メッセージを、順次、チャネル毎に上位装置ＲＮＣに送信する(ステップＳ１４)。そして、ここでメッセージリスト１０２に格納されている制御メッセージにより解放対象になった各チャネルに対してＲＬＰＰ処理手順を開始させる(ステップＳ１５)。
【００２０】
そして、この後、ガードタイマを起動し(ステップＳ１６)、次いで当該ガードタイマのタイムアウトを待ち(ステップＳ１７)、所定の時間が経過したことを確認してケース４の場合の処理を終了するのである。このときのガードタイマとは、解放対象となったチャネルに対し、一定時間で解放されることを監視するためのものである。
【００２１】
次に、このときの制御メッセージ格納シーケンスについて、図５により説明する。ここで、この制御メッセージ格納シーケンスは、呼処理制御部１０１が図２〜図４のＲＬＰＰ処理手順を実行中、これと並行して処理されるもので、このため、図示のように、呼処理制御部１０１は、ＲＬＰＰ処理手順の実行中、同時にＲＬＳ要求メッセージが入力されるのを待つ(ステップＳ１７)。次に、このとき、メッセージリスト１０２に制御メッセージがあるか否かを調べる(ステップＳ１８)。
【００２２】
そして、結果がＹＥＳ、すなわちメッセージリスト１０２に制御メッセージがあったときは、いま入力されたＲＬＳ要求メッセージを、メッセージリスト１０２に既に格納されている制御メッセージの最後に追加格納し(ステップＳ１９)、ここでシーケンスを終了する。一方、ステップＳ１８での結果がＮＯ、つまりメッセージリスト１０２に制御メッセージがなかったときにはステップＳ１９の処理はスキップし、新規チャネルの設定処理が行われないようにしてシーケンスを終了するのである。
【００２３】
最後に、ＲＬＰＰ処理手順終了シーケンスについて説明する。この場合、呼処理制御部１０１は、図６に示すように、上位装置ＲＮＣからＲＬＤ要求(無線リンク強制呼切断要求：RADIO LINK DELETION REQUEST)メッセージが入力されたことにより処理をスタートする(ステップＳ２０)。そして、まず、無線信号制御部１０５にチャネル解放要求を送信し(ステップＳ２１)、この後、無線信号制御部１０５からチャネル解放応答が返送されるのを待ち(ステップＳ２２)、上位装置ＲＮＣにＲＬＤ応答(無線リンク強制呼切断応答：RADIO LINK DELETION RESPONSE)メッセージ送信する(ステップＳ２３)。
【００２４】
次に、メッセージリスト１０２を調べ、そこに制御メッセージが格納されている否かを判定する(ステップＳ２４)。そして、結果がＮＯ、つまりメッセージリスト１０２が空であった場合(ケース５)、ここで処理を終了する。他方、結果がＹＥＳ、つまりメッセージリスト１０２に制御メッセージ(ＲＬＳ要求メッセージ)があった場合、今度はメッセージリスト１０２の先頭に格納されている制御メッセージを読出し(ステップＳ２５)、別の処理Ｃに進む。
【００２５】
そこで、次に、この処理Ｃに分岐した場合の処理について、図７により説明すると、まず、いま読出した制御メッセージが設定可能か否かを調べる(ステップＳ２６)。そして、結果がＮＯ、つまりメッセージリスト１０２から取り出した制御メッセージが設定できない場合(ケース６)には、その制御メッセージをメッセージリスト１０２に戻し、そこにある制御メッセージの先頭に格納する(ステップＳ２７)。そして、ここで処理を終了する。  
他方、ステップＳ２６での判定結果がＹＥＳ、つまり設定可能な制御メッセージがあった場合は、まず、無線信号制御部１０５にチャネル設定要求を送信し(ステップＳ２８)、この後、無線信号制御部１０５からチャネル設定応答が返送されるのを待つ(ステップＳ２９)。そして、この後、ＲＬＳ応答(無線リンクセットアップ応答：RADIO LINK SETUP RESPONSE)メッセージを上位装置ＲＮＣに送信し(ステップＳ３０)、ここで図８に示す他の処理Ｄに進む。
【００２６】
そこで、この図８の処理Ｄに進んだ場合の処理について説明すると、まず、メッセージリスト１０２の先頭にある制御メッセージを読み込み(ステップＳ３１)、続いて、いま、読み込んだメッセージはＲＬＳ要求メッセージか否かを調べる(ステップＳ３２)。そうすると、この場合、メッセージリストが空であった場合(ケース７)と、結果がＮＯ、つまり読み込んだメッセージはＲＬＳ要求メッセージでは無かった場合(ケース８)、それに結果がＹＥＳ、つまり読み込んだメッセージがＲＬＳ要求メッセージであった場合(ケース９)に分岐する。
【００２７】
そして、まず、ケース７のときは、ここで処理を終了する。次に、ケース８のときは、このときの制御メッセージにより指示された処理、すなわち上位装置ＲＮＣから制御メッセージにより指示された処理を実行し(ステップＳ３３)、これをメッセージリスト１０２に格納されていた制御メッセージが空になるまで、ステップＳ３１の前に戻っては繰り返し(ステップＳ３４)、その後、処理を終了する。
【００２８】
また、ケース９の場合は、まず、このとき図２〜図４のＲＬＰＰ開始シーケンスを開始しているか否かを調べる(ステップＳ３５)。そして、まず、ステップＳ３５での結果がＮＯ、つまり、このときはＲＬＰＰ開始シーケンスが開始されていなかった場合は、ステップＳ３１の前に戻る。他方、結果がＹＥＳ、つまり、既にＲＬＰＰ開始シーケンスの処理が実行されていた場合は、それをメッセージリスト１０２に格納されていた制御メッセージが空になるまで、ステップＳ３１の前に戻っては処理を繰り返し(ステップＳ３６、Ｓ３７)、その後、処理を終了するのである。
【００２９】
従って、この実施形態によれば、ＲＬＳ要求メッセージが新規に発生した場合、それの優先レベルに応じてメッセージリスト１０２の先頭に追加されるので、削除対象チャネルの解放待ち状態にあるとき、当初、削除対象にはなっていない別のチャネルが解放された結果、新たなチャネルの設定に必要な無線リソースの確保が得られるようになった場合には、このとき待ち状態にある優先度レベルの高いコールに必ずチャネルが設定されるようにすることができる。
【図面の簡単な説明】
【００３０】
【図１】本発明によるチャネル割当優先制御方法の一実施の形態が適用された無線基地局装置のブロック構成図である。
【図２】本発明に係るチャネル割当優先制御方法の一実施の形態によるＲＬＰＰ処理手順開始シーケンス(その１)を説明するためのフローチャートである。
【図３】本発明に係るチャネル割当優先制御方法の一実施の形態によるＲＬＰＰ処理手順開始シーケンス(その２)を説明するためのフローチャートである。
【図４】本発明に係るチャネル割当優先制御方法の一実施の形態によるＲＬＰＰ処理手順開始シーケンス(その３)を説明するためのフローチャートである。
【図５】本発明に係るチャネル割当優先制御方法の一実施の形態による制御メッセージ格納シーケンスを説明するためのフローチャートである。
【図６】本発明に係るチャネル割当優先制御方法の一実施の形態によるＲＬＰＰ処理手順終了シーケンス(その１)を説明するためのフローチャートである。
【図７】本発明に係るチャネル割当優先制御方法の一実施の形態によるＲＬＰＰ処理手順終了シーケンス(その２)を説明するためのフローチャートである。
【図８】本発明に係るチャネル割当優先制御方法の一実施の形態によるＲＬＰＰ処理手順終了シーケンス(その３)を説明するためのフローチャートである。
【符号の説明】
【００３１】
ＢＴＳ：無線基地局装置
ＲＮＣ：上位装置
１０１：呼処理制御部(上位装置ＲＮＣとインターフェースを持つ部分)
１０２：メッセージリスト(制御メッセージを記憶しておく部分)
１０３：保持優先度リスト(個別チャネルの情報を保持優先度レベルの昇順に従って
記憶しておく部分)
１０４：無線送受信機能部(子局との無線周波数帯域による送受信を処理する部分)
１０５：無線信号制御部(ベースバンド信号を処理する部分)
１０６：有線制御部(ネットワーク側と回線インターフェースを取る部分)
ＲＬＳ要求：無線リンクセットアップ要求(RADIO LINK SETUP REQUEST)
ＲＬＳ応答：無線リンクセットアップ応答(RADIO LINK SETUP RESPONSE)
ＲＬＳ失敗：無線リンクセットアップ失敗(RADIO LINK SETUP FAILURE)
ＲＬＰＲ指示：無線リンクプリエンプション要求指示
(RADIO LINK PREEMPTION REQUIRED INDICATION)
ＲＬＤ要求：無線リンク強制呼切断要求(RADIO LINK DELETION REQUEST)
【図１】
2008271108.tif 000003
【図２】
2008271108.tif 000004
【図３】
2008271108.tif 000005
【図４】
2008271108.tif 000006
【図５】
2008271108.tif 000007
【図６】
2008271108.tif 000008
【図７】
2008271108.tif 000009
【図８】
2008271108.tif 000010